(57)【特許請求の範囲】
【請求項１】
第１の面及び当該第１面に対向する第２の面を有し、開状態から閉状態に遷移するとともに、当該閉状態時に前記第１の面及び前記第２の面をそれぞれ他の面に向かって付勢することよって被検者における生体の測定部位を挟持するクリップ部と、
前記第１及び前記第２の面の少なくともいずれか一方に設けられ、前記測定部位に接触することにより、前記被検者の生体情報を検出する電極部と、
を有し、
前記クリップ部が、
台座と、
第１の方向に沿って滑動可能に前記台座上に形成される支持体と、
前記第１の方向に延伸する形状を有し、前記第１の面が形成され、かつ、前記台座に支持される第１の板状部材と、
前記第１の方向に延伸する形状を有し、前記第２の面が形成され、前記第１の板状部材に対して回転可能に連結された第２の板状部材と、
前記支持体に設けられた部材であって、前記クリップ部の開状態時に前記第２の板状部材の前記台座側の端部を係止し、かつ、前記支持体が前記第１の方向に沿って前記台座に向かって押し下げされた場合に、当該係止された端部を解除するための形状を有する突起部と、
を備えることを特徴とするクリップ式電極ユニット。
【請求項２】
請求項１に記載のクリップ式電極ユニットにおいて、
前記第１の板状部材及び前記第２の板状部材が、対向面に対して凹形状となるように湾曲して形成される、クリップ式電極ユニット。
【請求項３】
請求項１又は２に記載のクリップ式電極ユニットにおいて、
前記第１の板状部材及び前記第２の板状部材に接合されるとともに、前記開状態時に前記測定部位を挟持する第２の方向に、前記第１の板状部材、前記第２の板状部材、又は、双方を回転させるための付勢する第１の付勢手段を更に備える、クリップ式電極ユニット。
【請求項４】
請求項１〜３のいずれか１項に記載のクリップ式電極ユニットにおいて、
前記第１の板状部材の所定位置に設けられ、前記第２の板状部材を当該第１の板状部材に回転可能に接合するヒンジを更に備える、クリップ式電極ユニット。
【請求項５】
請求項４に記載のクリップ式電極ユニットにおいて、
前記ヒンジが、
前記第１の板状部材における前記測定部位を挟持する下方の所定位置に形成され、
少なくとも前記第２の板状部材が、前記ヒンジを中心軸として回転する、クリップ式電極ユニット。
【請求項６】
請求項１〜５のいずれか１項に記載のクリップ式電極ユニットにおいて、
前記支持体を前記第１の方向に滑動させるために前記台座に遊嵌され、前記第１の方向に沿って前記台座に向かって前記支持体を押し下げるために用いるレバーを更に備える、クリップ式電極ユニット。
【請求項７】
請求項１〜６のいずれか１項に記載のクリップ式電極ユニットにおいて、
前記第１の方向に沿って前記台座から離れる方向に前記支持体を付勢する第２の付勢手段を更に有し、
前記第２の付勢手段によって前記第１の面と前記第２の面とが所定の間隔を超えて離間
された場合に、前記第２の板状部材の前記一方の端部が、前記突起部に係止される、クリップ式電極ユニット。
【請求項８】
請求項１〜７のいずれか１項に記載のクリップ式電極ユニットにおいて、
前記電極部が、
前記測定部位に接触し、前記被検者の生体情報を検出するために用いる第１の電極と、
基準電位を測定するために用いる第２の電極と、
を有し、
前記第１の電極及び第２の電極が、
それぞれ前記第１の面及び前記第２の面に設けられる、クリップ式電極ユニット。
【請求項９】
請求項１〜８のいずれか１項に記載の複数のクリップ式電極ユニットと、
前記各クリップ式電極ユニットに設けられた各電極部と電気的に接続され、当該電極部間の電位差を検出することによって前記被検者の生体情報を測定する測定装置と、
を備えることを特徴とする生体情報測定システム。
【請求項１０】
請求項９に記載の生体情報測定システムにおいて、
前記測定装置によって測定された前記生体情報を表示する表示装置を更に備え、
前記表示装置が、
前記被検者に閲覧可能に前記生体情報の解析結果を提示する、生体情報測定システム。
【発明の詳細な説明】
【技術分野】
【０００１】
本発明は、被検者の心電図等の生体情報を測定する生体情報測定システムにおいて、被検者の生体情報（例えば、心臓の活動電位）を検出及び測定するために、被検者の測定部位に接触させられる電極ユニット、及び、当該電極ユニットを利用した生体情報測定システムに関する。
【背景技術】
【０００２】
従来、被検者の心電図を測定する場合には、被検者の両腕、両足及び胸部に電極を接触させ、当該電極において被検者の心臓の活動電位を検出し、当該検出された活動電位に基づき、標準１２誘導法により心電図を測定することが一般的となっている。
【０００３】
また、最近では、家庭において簡易に心電図の測定を可能とするため、標準１２誘導法ではなく、被検者の両腕間における電位差に基づき、心臓の活動電位の変化を検出し、双極誘導であるＩ誘導により、心電図を計測する心電図測定システムも提案されている（例えば、特許文献１）。
【０００４】
この心電図測定システムにおいては、被検者の両腕（すなわち、測定部位）を、活動電位検出用の電極が設けられたクリップによって挟持し、両腕間の電位差の変化に基づき、心臓の活動電位を検出する構成が採用されている。
【０００５】
また、この心電図測定システムにおいては、クリップ（以下、「電極クリップ」という。）の内側（すなわち、測定部位に接触させる側）に向かって電極を隆起させることによって、測定時において被検者の測定部位(例えば、両手首)に対する電極の密着性を向上させ、心電図測定結果の安定性を向上させる構成が採用されている。
【先行技術文献】
【特許文献】
【０００６】
【特許文献１】特開２００８−２２０８３０号公報
【発明の概要】
【発明が解決しようとする課題】
【０００７】
しかしながら、上記特許文献１に記載の心電図測定システムにおいては、片手で電極クリップを開きつつ、もう一方の腕を電極クリップに挟持させることによって両腕に電極を装着する必要性があるため、位置合わせを行いつつ、かつ、測定部位に対して適切に電極を接触させることが難しい。
【０００８】
したがって、上記特許文献１に記載の心電図測定システムにおいては、計測中に筋電や接触抵抗の変化が生じてノイズが混入しやすくなることも多く、的確な計測を行うことができない場合も多い。
【０００９】
特に、両腕を測定部位として用いる場合であって、適切な位置に電極を装着させるためには、固定した電極クリップにそれぞれの腕を挿入させることが必要である。しかしながら、電極クリップが可動可能な場合には、電極クリップが片方の腕に装着されている状態で、他の腕への電極を装着させることが難しく、また、その状態で他の腕への装着作業を行うと位置ずれなどが生じて適切な測定を妨げる原因になる。
【００１０】
また、このような場合であって、電極クリップが所定の位置に固定されている場合には
、そもそも一方の腕を使用して他の腕への電極クリップの装着を行うことができないので、他者のサポートなく、簡易にかつ確実に心電図を測定することが困難となっている。
【００１１】
本発明は、上記課題を解決するためになされたものであり、その目的は、他者のサポートなく、簡易に、かつ、確実に心電図等の生体情報を計測することが可能なクリップ式電極ユニット等を提供することにある。
【課題を解決するための手段】
【００１２】
上述した課題を解決するため、本発明は、
第１の面及び当該第１面に対向する第２の面を有し、開状態から閉状態に遷移するとともに、当該閉状態時に前記第１の面及び前記第２の面をそれぞれ他の面に向かって付勢することよって被検者における生体の測定部位を挟持するクリップ部と、
前記第１及び前記第２の面の少なくともいずれか一方に設けられ、前記測定部位に接触することにより、前記被検者の生体情報を検出する電極部と、
を有し、
前記クリップ部が、
台座と、
第１の方向に沿って滑動可能に前記台座上に形成される支持体と、
前記第１の方向に延伸する形状を有し、前記第１の面が形成され、かつ、前記台座に支持される第１の板状部材と、
前記第１の方向に延伸する形状を有し、前記第２の面が形成され、前記第１の板状部材に対して回転可能に連結された第２の板状部材と、
前記支持体に設けられた部材であって、前記クリップ部の開状態時に前記第２の板状部材の前記台座側の端部を係止し、かつ、前記支持体が前記第１の方向に沿って前記台座に向かって押し下げされた場合に、当該係止された端部を解除するための形状を有する突起部と、
を備える構成を有している。
【００１３】
また、上述した課題を解決するため、本発明は、
上述のクリップ式電極ユニットと、
前記各クリップ式電極ユニットに設けられた各電極部と電気的に接続され、当該電極部間の電位差を検出することによって前記被検者の生体情報を測定する測定装置と、
を備える構成を有している。
【００１４】
この構成により、本発明は、支持体が第１の方向に沿って台座に向かって押し下げされた場合に、当該支持体を第１の方向に滑動させ、当該支持体の突起部と第２の湾曲板との係止を解除する。
【００１５】
したがって、本発明は、第１の付勢手段によって付勢される力に応じて、ヒンジを中心としつつ、第１の面と第２の面を接触させる方向に第２の板状部材を回転させることができるので、電極部に測定部位を接触させつつ、第１の板状部材及び第２の板状部材によって生体の測定部位を挟持させることができる。
【００１６】
このため、本発明のクリップ式電極は、被検者が、第１の面と、第２の面と、の間に、測定部位（例えば腕）を挿入して、位置合わせを行いつつ、レバーを押圧することにより、ワンタッチにて、第１の面と、第２の面と、の間に、測定部位を自動的に挟み込ませることができる。
【００１７】
また、本発明のクリップ式電極は、測定終了後などの着脱時に、腕などの測定部位を回転させることによって挟み込んでいるクリップ部を押し広げることができれば、当該支持
体の突起部と第２の湾曲板とを係止することができるので、他の操作や他の作業を行うことなく、当該測定部位が挟まれている状態を開放させて着脱させることができる。
【００１８】
この結果、本発明は、例えば、手首（腕）などの被検者の測定部位によって支持体を押し下げることができれば、他の操作を行うことなく、当該測定部位に電極を接触させ、かつ、当該電極と測定部位を固定すること、及び、クリップ部を押し広げることができれば、他の操作を行うことなく、固定された測定部位を着脱させることができるので、他者のサポートを不要とし、容易に、かつ、確実に心電図等の電極を被験者に装着及びその着脱を実行させることができる。
【図面の簡単な説明】
【００１９】
【図１】本発明の一実施形態における生体情報測定システムの構成を示す図である。
【図２】一実施形態のクリップ式電極の外観を示す図である。
【図３】一実施形態におけるクリップ式電極の構造及び動作を説明するための図（その１）である。
【図４】一実施形態におけるクリップ式電極の構造及び動作を説明するための図（その２）である。
【発明を実施するための形態】
【００２０】
以下、図面を参照しつつ、本発明の実施形態について説明する。なお、以下の実施形態は、被検者の生体情報として心電図を測定するための心電図測定システムに対して、本発明のクリップ式電極及び生体情報測定システムを適用した場合の実施形態である。
【００２１】
［１］心電図測定システム
まず、図１を用いつつ、本実施形態の心電図測定システム１の概要及び構成について説明する。なお、図１は、本実施形態における心電図測定システム１の構成を示す図である。
【００２２】
本実施形態の心電図測定システム１は、ベース１１上に固定されるとともに、被検者の両腕に装着され、被検者の心臓の活動電位を検出するための左右一対のクリップ式電極ユニット（以下、左右を特定する必要がない場合には、単に「クリップ式電極ユニット」という。）１０と、クリップ式電極ユニット１０から取得した生体情報に基づいて所定の測定を実行する心電図計２０と、心電図計２０から取得したデータに基づく処理を実行する情報処理装置３０と、を有する。
【００２３】
クリップ式電極ユニット１０は、右手用及び左手用の一対によって機能を発揮する各ユニットである。
【００２４】
特に、右手用のクリップ式電極ユニット１０Ｒは、被検者の右腕に装着されるクリップ式電極であって、第１の面を有し、左手用のクリップ式電極ユニット１０Ｌとともに被検者における生体の測定部位（具体的には、被験者の手首）を挟持するクリップ式の電極ユニットである。
【００２５】
また、右手用のクリップ式電極ユニット１０Ｒは、第１の面を被験者の右腕の測定部位に接触させるとともに、心電図計２０の図示せぬ正極側の端子に対して右手用電極ラインＬ１を介して接続される。
【００２６】
一方、左手用のクリップ式電極ユニット１０Ｌは、被検者の左腕に装着されるクリップ式電極であって、第２の面を有し、右手用のクリップ式電極ユニット１０Ｌとともに被検者における生体の測定部位（具体的には、被験者の手首）を挟持するクリップ式の電極ユ
ニットである。
【００２７】
また、左手用のクリップ式電極ユニット１０Ｌは、第２の面を被験者の左腕の測定部位に接触させるとともに、心電図計２０の図示せぬ負極側の端子に対して左手用電極ラインＬ２を介して接続される。
【００２８】
さらに、左手用のクリップ式電極ユニット１０Ｌは、心電図の正確性を確保するためには、アイントーベンの三角形の原理に基づき、正負の２つの電極の他に電位の検出基準となる不関電極（後述する不関電極１８０）を有している。
【００２９】
通常、双極誘導であるＩ誘導によって心電図を測定するためには、正極及び負極間の電位差を測定すればよいが、心電図の正確性を確保するためには、アイントーベンの三角形の原理に基づき、正負の２つの電極の他に電位の検出基準となる不関電極が必要となる。特に、不関電極は、基準電位に設定する必要がある。
【００３０】
そこで、本実施形態の心電図測定システム１においては、クリップ式電極ユニット１０Ｌの負極側電極と対向する位置に不関電極をも設け、不関電極を不関電極ラインＬ３によってアース電極（グランド）に接続させている。ただし、不関電極は、右手用のクリップ式電極ユニット１０Ｒに設けられていてもよい。
【００３１】
なお、本実施形態における右手用及び左手用のクリップ式電極ユニット１０の構造及び動作の詳細については後述する。ただし、右手用のクリップ式電極ユニット１０Ｒ及び左手用のクリップ式電極ユニット１０Ｌは、不関電極の有無を除いては、同一の構造を有するものである。
【００３２】
心電図計２０は、右手用のクリップ式電極ユニット１０Ｒ及び左手用のクリップ式電極ユニット１０Ｌに設けられた各電極と電気的に接続され、当該電極間の電位差を検出することによって被検者の生体情報を取得し、所定の測定を実行する構成を有している。
【００３３】
特に、心電図計２０は、右手用のクリップ式電極ユニット１０Ｒ及び左手用のクリップ式電極ユニット１０Ｌを用いて、不関電極にて検出されるグランド電位に基づいて、測定部位の電位を検出し、検出した測定部位の電位に基づいて双極誘導により被検者の心電図を測定する。
【００３４】
また、心電図計２０は、Ｂｌｕｅｔｏｏｔｈ（登録商標）、無線ＬＡＮ（ＩＥＥＥ２０８．１１ａ、ｂ、ｎ、ａｃ）等の無線通信インターフェース、又は、ＵＳＢ（Ｕｎｉｖｅｒｓａｌ  Ｓｅｒｉａｌ  Ｂｕｓ）等の有線Ｉ／Ｏインターフェースを有しており、当該インターフェースを介して、情報処理装置３０とデータの授受を行う機能を有している。
【００３５】
そして、心電図計２０は、通信用のインターフェースを介して、情報処理装置３０に対して、測定した心電図に対応するデータ（以下、「心電図データ」という。）を供給する構成を有している。
【００３６】
情報処理装置３０は、画面サイズが６インチ〜１０インチ程度のタブレット型情報通信端末装置、又は、ラップトップＰＣ（パーソナルコンピュータ）等の情報通信端末装置であり、心電図計２０によって測定された生態情報を表示する装置である。特に、情報処理装置３０は、心電図計２０から取得した心電図データに基づき、被検者に閲覧可能に心電図を表示する機能を有する。
【００３７】
なお、情報処理装置３０は、心電図計２０から取得した心電図データに対して、心拍の
変動解析を施すことにより、心電図中のＰ波、Ｑ波、Ｒ波、Ｓ波、Ｔ波及びＵ波の波形を解析し、心電図中における、脈飛び、頻脈、期外収縮、心房細動、心室細動等の不整脈を検出する他、心電図中のＳＴを解析して、狭心症の発生等、心臓に発生した異常を検出する機能を有していてもよい。
【００３８】
そして、この場合には、情報処理装置３０は、被検者の心電図に異常がある場合には、その旨を表示させ、被検者に通知する機能を有している。
【００３９】
［２］クリップ式電極ユニット
次に、図２〜図４を用いて本実施形態のクリップ式電極ユニット１０の構造及び動作について説明する。
【００４０】
特に、図２（Ａ）〜（Ｄ）は、本実施形態のクリップ式電極ユニット１０Ｌの外観を示す図であり、それぞれ、クリップ式電極ユニット１０Ｌの開状態の斜視図（Ａ）、クリップ式電極ユニット１０Ｌの開状態の正面図（Ｂ）、クリップ式電極ユニット１０Ｌの上部からの開状態の平面図（Ｃ）、及び、クリップ式電極ユニット１０Ｌの下面図（Ｄ）を示す図である。
【００４１】
また、図３（Ａ）及び（Ｂ）は、本実施形態におけるクリップ式電極ユニット１０Ｌの構造及び動作を説明するための図であって、当該クリップ式電極ユニット１０Ｌの横断面図、及び、当該クリップ式電極ユニット１０Ｌの係止部分の断面拡大図である。
【００４２】
さらに、図４（Ａ）及び（Ｂ）は、本実施形態におけるクリップ式電極の構造及び動作を説明するための図であって、クリップ式電極においてアームが開状態を説明するための図及びクリップ式電極においてアームが閉状態を説明するための図である。
【００４３】
なお、上述のように、クリップ式電極ユニット１０Ｌとクリップ式電極ユニット１０Ｒの違いは、不関電極の有無だけであり、他の構造及び動作は、同一であるため、以下の説明においては、不関電極の設けられたクリップ式電極ユニット１０Ｌを例に説明を行う。
【００４４】
（クリップ式電極ユニットの構造）
左手用のクリップ式電極ユニット１０Ｌは、例えば、図２及び図３に示すような外観を有し、クリップ部分が開いた状態（以下、単に「開状態」という。）からクリップ部分が閉じて生体の測定部位（例えば、片方の手首）を挟持して電極を生体に接触させる状態（以下、単に「閉状態」という。）に遷移可能な構成を有している。
【００４５】
特に、左手用のクリップ式電極ユニット１０Ｌは、開状態においてはその状態を維持する構造を有するとともに、測定部位を載置する部分（後述のレバー１７０）がベース１１に向かって押し下げられた場合（例えば載置した手首を使ってその部分を押し下げた場合）に、開状態から自動的に閉状態に遷移する構造を有している。
【００４６】
また、左手用のクリップ式電極ユニット１０Ｌは、主要構成要素として、ベース１１上の所定の位置に接合された台座１１０と、支持体１２０と、第１湾曲アーム１３０と、第２湾曲アーム１５０と、コの字バネ１６０と、レバー１７０と、から構成されている。
【００４７】
なお、例えば、本実施形態の台座１１０は、本発明の台座を構成し、支持体１２０は、本発明の支持体を構成する。また、本実施形態の第１湾曲アーム１３０は、本発明の「第１の板状部材」を構成するとともに、第２湾曲アーム１５０は、第２の板状部材を構成する。さらに、例えば、本実施形態のコの字バネ１６０は、本発明の第１の付勢手段を構成し、レバー１７０は、本発明のレバーを構成する。
【００４８】
台座１１０は、例えば、樹脂によって形成されており、ベース１１上の所定の位置にクリップ式電極ユニット１０Ｌを固定するための部材である。
【００４９】
特に、台座１１０は、右手用のクリップ式電極ユニット１０Ｒとの相対関係によって定まる位置であって、当該右手用のクリップ式電極ユニット１０Ｒから所定の間隔（通常の人間における肩幅程度）に離隔された位置に、左手用のクリップ式電極ユニット１０Ｌを固定するために用いられる基台である。
【００５０】
また、台座１１０は、内部に支持体１２０及び第１湾曲アーム１３０が組み込まれ、それぞれを支持するとともに、レバー１７０の一部が遊嵌される略箱形状を有する。そして、台座１１０は、支持体１２０及び第１湾曲アーム１３０を固定支持する支持部１１１と、支持部１１１に支持体１２０を固定して連結するためのリベット（又はねじ）１１２と、を備えている。
【００５１】
支持体１２０は、例えば、樹脂によって形成されており、ベース１１に対して略平行に形成された所定の幅及び長さを有する板状部材であって、一部が台座１１０に固定されつつ、所定の端部が滑動可能に台座１１０の内部に形成されている。
【００５２】
そして、支持体１２０は、支持体１２０の長さ方向（以下、単に「長さ方向」といい、図３及び図４においては、図面左右方向を示す。）の一方の端部においてレバー１７０を支持しつつ、開状態時に当該端部に第２湾曲アーム１５０の端部（後述する係止端部ｂ１）を係止するための形状を有している。
【００５３】
具体的には、支持体１２０は、台座１１０に固定された長さ方向の端部を構成する第１端部１２１と、自由端として解放された長さ方向の他端部を構成する第２端部１２２と、第２端部１２２に形成され、かつ、レバー１７０の底面（後述する底面１７２）に当接される当接部１２３と、第２端部１２２に形成され、かつ、第２湾曲アーム１５０の端部を係止するための突起部１２５と、を有している。
【００５４】
第１端部１２１は、リベット１１２によって台座１１０（すなわち、支持部１１１）に連結固定され、第２端部１２２は、クリップ式電極ユニット１０の長手方向（以下、単に「長手方向（第１の方向）」といい、図３及び図４においては、図面上下方向を示す。）に沿って滑動可能となっている。
【００５５】
当接部１２３は、第２端部１２２における支持体１２０の幅方向（以下、単に「幅方向」という。）の端部にそれぞれ設けられ、レバー１７０の底面にそれぞれ当接される。そして、当接部１２３は、長手方向に沿ってベース１１に向かって押し下げられた場合に、ベース１１に向かって第２端部１２２を押し下げる部材として機能する。
【００５６】
すなわち、支持体１２０は、開状態及び閉状態の際には、ベース１１に対して平行を維持している一方で、開状態から閉状態に移行する際にレバー１７０が押し下げられると、当該押し下げに応じて当接部１２３も同様にベース１１に向かって押し下げられる。そして、支持体１２０は、第２端部１２２がベース１１に向かって押し下げられることによって、支持体１２０の第２端部１２２側がベースに向かって滑動して支持体１２０自体が反るようになっている。
【００５７】
突起部１２５は、第２端部１２２から長手方向に沿って、かつ、ベース１１から上方に向かって所定の幅（例えば、支持体１２０の幅よりも狭い幅）を有する凸形状を有している。そして、突起部１２５の先端は、第２端部１２２から内側（すなわち、第１端部１２
１側）に所定の角度で傾斜されている。
【００５８】
すなわち、突起部１２５は、第２湾曲アーム１５０の端部（後述する係止端部ｂ１）が突起部１２５の先端の傾斜方向と反対の方向に傾斜された構造と相まって、第２湾曲アーム１５０の端部を容易にかつ確実に係止することが可能な形状を有している。
【００５９】
第１湾曲アーム１３０は、長手方向に沿って延伸するＳ字の板状の形状を有するとともに、第２湾曲アーム１５０に対向する面（すなわち、第１の面）が所定の幅を有している。特に、第１湾曲アーム１３０は、生体の測定部位を挟持する際に第２湾曲アーム１５０と対になる部材であり、例えば、樹脂によって形成されている。
【００６０】
具体的には、第１湾曲アーム１３０は、台座１１０に組み込まれて可動不能に固定される固定端部（すなわち、台座１１０側の固定端部）ａ１と、その反対側に形成された解放端であって、第２湾曲アーム１５０の解放端部ｂ２に当接する解放端部ａ２と、中央部下方に設けられたヒンジ１４０と、解放端部ａ２から固定端部ａ１に渡ってヒンジ１４０を中心に長手方向に沿ってＳ字状形状を構成する第１湾曲部ａ３及び第２湾曲部ａ４と、によって形成される。
【００６１】
特に、第１湾曲部ａ３は、第２湾曲アーム１５０に向かって（すなわち、生体の測定部位を挟持する方向（以下、「挟持方向（第２の方向）」という。）に）凹となる形状を有し、第２湾曲部ａ４は、第１湾曲部ａ３とは反対に凹となる形状であって、かつ、第１湾曲部ａ３の半径より小さい半径を有している。
【００６２】
また、ヒンジ１４０は、第１湾曲アーム１３０の生体の測定部位を挟持する部分の下方の所定位置に形成され、第１湾曲アーム１３０に対して、双方向に（すなわち、右回り及び左回りに）回転可能な状態にて第２湾曲アーム１５０を連結する構造を有している。
【００６３】
なお、第１湾曲部ａ３及び第２湾曲部ａ４は、円弧形状であってもよいし、角と直線とから構成される多角形状を有していてもよい。
【００６４】
一方、第１湾曲アーム１３０は、第１湾曲部ａ３の第２湾曲アーム１５０に対向する面側に形成された不関電極１８０を有し、当該不関電極１８０は、不関電極ラインＬ３によってアース電極に接続されている。
【００６５】
第２湾曲アーム１５０は、第１湾曲アーム１３０と同様に、長手方向に沿って延伸するＳ字の板状の形状を有するとともに、第１湾曲アーム１３０に対向する面（すなわち、第２の面）が所定の幅を有している。特に、第２湾曲アーム１５０は、生体の測定部位を挟持する際に第１湾曲アーム１３０と対になる部材であり、例えば、樹脂によって形成されている。
【００６６】
具体的には、第２湾曲アーム１５０は、開状態時に支持体１２０に係止される係止端部ｂ１と、その反対側に形成された解放端であって、第１湾曲アーム１３０の解放端部ａ２に当接する解放端部ｂ２と、解放端部ｂ２から係止端部ｂ１に渡ってヒンジ１４０を中心に長手方向に沿ってＳ字状形状を構成する第１湾曲部ｂ３及び第２湾曲部ｂ４と、によって形成される。
【００６７】
特に、第１湾曲部ｂ３は、第１湾曲アーム１３０に向かって（すなわち、挟持方向に）凹となる形状を有し、第２湾曲部ｂ４は、第１湾曲部ｂ３とは反対に凹となる形状を有し、かつ、第１湾曲部ｂ３の半径より小さい半径を有する。
【００６８】
そして、第２湾曲アーム１５０は、ヒンジ１４０によって第１湾曲アーム１３０と回転可能に接合されており、当該ヒンジ１４０を支点にして解放端部ｂ２が第１湾曲アーム１３０の解放端部ａ２に当接する方向（挟持方向及び回転方向）に回転する構造を有している。
【００６９】
なお、第１湾曲部ｂ３及び第２湾曲部ｂ４は、第１湾曲アーム１３０と同様に、円弧形状であってもよいし、角と直線とから構成される多角形状を有していてもよい。ただし、第１湾曲部ｂ３及び第２湾曲部ｂ４は、第１湾曲アーム１３０の第１湾曲部ａ３及び第２湾曲部ａ４と同じ形状（凹の向きが反対）であることが望ましい。
【００７０】
一方、第２湾曲アーム１５０は、第１湾曲部ｂ３の第１湾曲アーム１３０に対向する面側に形成された検出用電極１９０を有し、当該検出用電極１９０は、左手用電極ラインＬ２によって、心電図計２０の図示せぬ負極側端子に接続されている。
【００７１】
コの字バネ１６０は、第１湾曲アーム１３０及び第２湾曲アーム１５０を相互に懸架するための部材である。特に、コの字バネ１６０は、ベース１１から上方に向かって開いたコの字形状を有し、第１湾曲アーム１３０の第２湾曲部ａ４及び第２湾曲アーム１５０の第２湾曲部ｂ４の一部を貫通しつつ、ヒンジ１４０の上方の第１湾曲アーム１３０の第１湾曲部ａ３及び第２湾曲アーム１５０の第１湾曲部ｂ３に接合された構造を有している。
【００７２】
具体的には、コの字バネ１６０は、第１湾曲アーム１３０に接合される第１辺１６１と、第２湾曲アーム１５０に接合される第２辺１６２と、第１辺１６１及び第２辺１６２の間に形成される第３辺１６３と、から形成される。
【００７３】
第１辺１６１は、第１湾曲アーム１３０の第２湾曲部ａ４の上方部分の外側に配置されるとともに、ヒンジ１４０の上方の第１湾曲アーム１３０の第１湾曲部ａ３に嵌め込まれて接合された端部１６１ａを有している。
【００７４】
第２辺１６２は、第２湾曲アーム１５０の第２湾曲部ｂ４の上方部分を外側に配置されるとともに、ヒンジ１４０の上方の第２湾曲アーム１５０の第１湾曲部ｂ３に嵌め込まれて接合された端部１６２ａを有している。
【００７５】
第３辺１６３は、ヒンジ１４０の下方（ベース１１側）であって、第１湾曲アーム１３０の第２湾曲部ａ４及び第２湾曲アーム１５０の第２湾曲部ｂ４の一部を貫通する位置に形成されている。
【００７６】
コの字バネ１６０は、このような構造を有することによって、第１湾曲アーム１３０及び第２湾曲アーム１５０を相互に懸架させつつ、開状態のときに第２湾曲アーム１５０に対して第１湾曲アーム１３０とともに生体の測定部位を挟持する挟持方向に付勢する力を加えるようになっている。
【００７７】
すなわち、コの字バネ１６０は、開状態時において第２湾曲アーム１５０の係止端部ｂ１が支持体１２０に係止されていない場合には、復元力によって、ヒンジ１４０を支点に第２湾曲アーム１５０を回転させ、第２湾曲アーム１５０の解放端部ｂ２を第１湾曲アーム１３０の解放端部ａ２に当接するための力を加えるようになっている。
【００７８】
なお、コの字バネ１６０を構成する素材は、任意であり、例えば、ＳＵＳ３０１、ＳＵＳ３０４等の素材によって作成するようにしてもよい。
【００７９】
レバー１７０は、支持体１２０（具体的には、支持体１２０の第２端部１２２）を長手
方向に滑動させるために台座１１０に遊嵌され、当該長手方向に沿って台座１１０に向かって支持体１２０を押し下げるために形成された部材である。
【００８０】
特に、レバー１７０は、ベース１１と平行に形成され、生体の測定部位が載置される上面１７１を有し、上面１７１に対して被験者が測定部位を用いてベース１１方向に押し下げることが可能な構造を有している。
【００８１】
また、レバー１７０は、支持体１２０に当接される底面１７２を有し、上面１７１に加えられた力を支持体１２０に伝達する構造を有している。
【００８２】
なお、レバー１７０の材質は、特に限定されないが、例えば、樹脂によって形成されている。
【００８３】
また、本実施形態のレバー１７０は、上面１７１に載置された生体の測定部位によって当該上面１７１に加えられた力（押し下げる際の力）を支持体１２０に伝達することができれば、いかなる構造を有していてもよい。
【００８４】
ただし、本実施形態のレバー１７０は、上面１７１がヒンジ１４０の上方に形成されるとともに、コの字バネ１６０、第１湾曲アーム１３０及び第２湾曲アーム１５０の構造上、上面の下方を空洞とし、上面１７１の第１湾曲アーム１３０及び第２湾曲アーム１５０が配置されていない端部に接合された両側板１７３が底面１７２に接合されている構造を有している。
【００８５】
（クリップ式電極ユニットの動作）
左手用のクリップ式電極ユニット１０Ｌは、上述のような構造を有することによって開状態から閉状態に遷移する際に以下のような動作によって可動する。
【００８６】
まず、開状態においては、第２湾曲アーム１５０の一方の係止端部ｂ１は、図４（Ａ）に示すように、支持体１２０の第２端部１２２に設けられた突起部１２５に係止されている。このため、第２湾曲アーム１５０の解放端部ｂ２は、第１湾曲アーム１３０の解放端部ａ２は、当接せずに、それぞれのアームが開いた状態を維持することとなる。
【００８７】
このような開状態において、レバー１７０の上面１７１に生体の測定部位が載置され、被験者によって測定部位を用いてレバー１７０が押し下げられると、支持体１２０の第２端部１２２がベース方向に向かって滑動し、突起部１２５がその動作に伴ってベース１１方向に移動する。
【００８８】
そして、突起部１２５がベース１１方向に移動すると、図４（Ａ）に示すように、当該突起部１２５に係止されていた第２湾曲アーム１５０の係止端部ｂ１が解放され、コの字バネ１６０の復元力に基づいて、ヒンジ１４０を中心軸に第２湾曲アーム１５０が時計と反対回り（挟持方向）に回転して第１湾曲アーム１３０及び第２湾曲アーム１５０によって測定部位を挟持して閉状態に遷移する。
【００８９】
なお、閉状態に遷移すると、不関電極１８０及び検出用電極１９０の間に自動的に左手が挟み込まれ、不関電極１８０及び検出用電極１９０が、測定部位に接触することなる。
【００９０】
すなわち、第１湾曲アーム１３０及び第２湾曲アーム１５０を開状態にセットして状態において、
（Ａ）第１湾曲アーム１３０及び第２湾曲アーム１５０の間に測定部位（すなわち、左腕）を挿入し、
（Ｂ）左手の位置及び向きを調整するとともに挿入状態において左腕のいずれかの部位によって長手方向に沿ってベース１１に向かって（すなわち、図３及び図４の図面下方向に向かって）レバー１７０が押し下げられると、
（１）支持体１２０の突起部１２５と第２湾曲アーム１５０の係止端部ｂ１との間における係止が外れ、
（２）コの字バネ１６０によって生じる力によって、不関電極１８０及び検出用電極１９０の間に自動的に左手が挟み込まれ、
（３）不関電極１８０及び検出用電極１９０が測定部位に接触される。
【００９１】
以上、本実施形態のクリップ式電極ユニット１０は、例えば、手首などの被検者の測定部位によって支持体１２０を押し下げれば、他の操作を行うことなく、当該測定部位を押し下げた状態において電極（不関電極１８０及び検出用電極１９０）を当該測定部位に接触させること、及び、当該電極と測定部位を固定することができる。
【００９２】
また、本実施形態のクリップ式電極ユニット１０は、測定終了後などの着脱時に、腕などの測定部位を回転させることによって挟み込んでいる第２湾曲アーム１５０を可動させて当該第２湾曲アーム１５０を押し広げることができれば、支持体１２０の突起部１２５に第２湾曲アーム１５０の係止端部ｂ１を係止することができるので、他の操作や他の作業を行うことなく、当該測定部位が挟まれている閉状態を開状態に遷移させて当該測定部位を着脱させることができる。
【００９３】
したがって、本実施形態のクリップ式電極ユニット１０は、被検者の測定部位によって支持体を押し下げることができれば、他の操作を行うことなく、当該測定部位に電極を接触させ、かつ、当該電極と測定部位を固定すること、及び、固定された測定部位を着脱させることができるので、他者のサポートを不要とし、容易に、かつ、確実に心電図等の電極を被験者に装着及びその着脱を実行させることができる。
【００９４】
また、不関電極１８０及び検出用電極１９０は、コの字バネ１６０の復元力によって、被検者の左腕に押しつけられ、測定部位に対する密着度を向上させることができるので、安定して心電図を測定することができる。
【００９５】
なお、支持体１２０は、レバー１７０を長手方向であってベース１１に向かって（図３の下方向に）押し下げることにより、滑動可能に遊嵌すれば足りるが、コの字バネ１６０の復元力によって、押し下げる力を加えることなく突起部１２５と係止端部ｂ１との係止が外れないように、台座１１０と接触する面の摩擦を調整する必要がある。ただし、当該摩擦を大きくし過ぎた場合には、クリップ式電極ユニット１０（本実施形態においては第２湾曲アーム１５０）を開状態にするために大きな力が必要になるため、適切な摩擦力である必要がある。
【００９６】
［３］変形例
［３．１］変形例１
上記実施形態の支持体１２０は、第１端部１２１において台座１１０と接合されているが、レバー１７０によって押し下げられることによって突起部１２５が活動可能であれば、固定される箇所は限定されない。
【００９７】
また、支持体１２０は、長手方向に沿って活動可能であれば、台座１１０に固定されずにベース１１から上方に付勢する弾性体によって形成されていてもよい。
【００９８】
この場合には、弾性体の付勢によって生じた力に基づいて、突起部１２５は、第２湾曲アーム１５０の係止端部ｂ１を係止する位置を維持するとともに、レバー１７０が、長手
方向に沿ってベース１１に向かって押し下げられた場合に、弾性体が縮むことによって弾性変形し、突起部１２５と、第２湾曲アーム１５０の係止端部ｂ１と、の係止が外れることになる。
【００９９】
なお、本実施形態の支持体１２０とベース１１側の台座１１０との間に、長手方向に沿ってベース１１から上方向に押圧するためのコイルスプリングなどの弾性体を設けてもよい。この場合にも、上記と同様の機能を発揮させることができる。
【０１００】
［３．２］変形例２
上記実施形態においては、第１湾曲アーム１３０及びＢ１５０を開かせるための構成については言及しなかったが、ロボットアーム等を利用して、ワンタッチにて、第１湾曲アーム１３０及びＢ１５０を開く構成を採用してもよい。
【０１０１】
［３．３］変形例３
上記実施形態においては、第２湾曲アーム１５０を回転させて生体の測定部位を第１湾曲アーム１３０とともに挟持するようになっているが、第２湾曲アーム１５０に変えて第１湾曲アーム１３０を回転させ、又は、第２湾曲アーム１５０とともに第１湾曲アーム１３０を回転させることによって生体の測定部位を挟持するようにしてもよい。
【符号の説明】
【０１０２】
１  …  心電図測定システム
１０（１０Ｌ、１０Ｒ）  …  クリップ式電極ユニット
２０  …  心電図計
３０  …  情報処理装置
１１０  …  台座
１１１  …  支持部
１１２  …  リベット
１２０  …  支持体
１２５  …  突起部
１３０  …  第１湾曲アーム
１４０  …  ヒンジ
１５０  …  第２湾曲アーム
１６０  …  コの字バネ
１７０  …  レバー
１８０  …  不関電極
１９０  …  検出用電極
【図１】
0006638953.tif 000002
【図２】
0006638953.tif 000003
【図３】
0006638953.tif 000004
【図４】
0006638953.tif 000005